(57)【要約】【課題】光源ユニットを出し入れする着脱口のカバー部材が光源ユニットと個別に構成された従来構成よりも、光源ユニットを交換する際の作業手順を簡易にする。【解決手段】装置本体１８の着脱口１８ａを介して該装置本体に対して着脱可能に構成された光源ユニット５０を備え、該光源ユニット内の光源５１からの光を用いて画像を投射する画像投射装置において、前記着脱口のカバー部材５２が前記光源ユニットと一体構造になっていることを特徴とする。【選択図】図６
2016177061.tif 000002
【特許請求の範囲】
【請求項１】
装置本体の着脱口を介して該装置本体に対して着脱可能に構成された光源ユニットを備え、該光源ユニット内の光源からの光を用いて画像を投射する画像投射装置において、
前記着脱口のカバー部材が前記光源ユニットと一体構造になっていることを特徴とする画像投射装置。
【請求項２】
請求項１に記載の画像投射装置において、
前記カバー部材は、装置本体の外装カバーの一部を構成することを特徴とする画像投射装置。
【請求項３】
請求項１又は２に記載の画像投射装置において、
装置本体に対して前記光源ユニットが装着された状態で、前記光源からの光を照射する装置本体の光照射目標に対して該光源を位置決めする光源位置決め手段と、
装置本体に対して前記光源ユニットが装着された状態で、前記着脱口に対して前記カバー部材を位置決めするカバー位置決め手段とを有することを特徴とする画像投射装置。
【請求項４】
請求項３に記載の画像投射装置において、
前記カバー部材は、前記光源に対して変位可能な状態で、前記光源ユニットと一体構造になっていることを特徴とする画像投射装置。
【請求項５】
請求項４に記載の画像投射装置において、
前記カバー部材は、前記光源に対して光源ユニット着脱方向に対して直交する方向に変位可能な状態で、前記光源ユニットと一体構造になっていることを特徴とする画像投射装置。
【請求項６】
請求項４又は５に記載の画像投射装置において、
前記光源位置決め手段は、装置本体側の位置決め基準部材に対して前記光源が光源ユニット着脱方向に突き当たることにより該光源を位置決めするものであり、
前記カバー部材は、前記光源に対して光源ユニット着脱方向に変位可能な状態で、前記光源ユニットと一体構造になっており、
前記カバー部材と前記光源とを光源ユニット着脱方向に沿って互いが離れる向きに付勢する付勢手段を有することを特徴とする画像投射装置。
【請求項７】
請求項１乃至６のいずれか１項に記載の画像投射装置において、
前記着脱口が装置本体の側面に開口し、前記光源ユニットが装置本体の側面から着脱可能に構成されていることを特徴とする画像投射装置。
【請求項８】
請求項１乃至７のいずれか１項に記載の画像投射装置において、
前記カバー部材上に回動支点をもち、非使用位置と使用位置との間で回動可能な取手部材と、
前記非使用位置への前記取手部材の回動に連動して前記光源ユニットを装置本体に対してロックするロック状態となり、前記使用位置への該取手部材の回動に連動して装置本体に対する前記光源ユニットのロックを解除するロック手段とを有することを特徴とする画像投射装置。
【請求項９】
請求項８に記載の画像投射装置において、
前記ロック状態であるか否かを検知するロック状態検知手段と、
前記ロック状態検知手段がロック状態でないことを検知しているとき、前記光源への通電を遮断する通電制御手段とを有することを特徴とする画像投射装置。
【請求項１０】
光源からの光を用いて画像を投射する画像投射装置の装置本体に対して該装置本体の着脱口を介して着脱可能に構成され、該光源を有する光源ユニットにおいて、
前記着脱口のカバー部材が当該光源ユニットと一体構造になっていることを特徴とする光源ユニット。
【発明の詳細な説明】
【技術分野】
【０００１】
本発明は、画像投射装置及び光源ユニットに関するものである。
【背景技術】
【０００２】
従来、光源ユニットの光源からの光を画像生成素子に照射して得られる投射画像を投影面に投射する画像投射装置において、その光源ユニットが画像投射装置の装置本体に対して着脱可能に構成されたものが知られている。
【０００３】
特許文献１には、光源ユニットを画像投射装置の装置本体に対して着脱可能に構成し、光源ユニット内の光源に寿命が到来したら光源ユニットを交換できるようにした画像投射装置が記載されている。この画像投射装置においては、外装筺体の天面部に形成された天面開口部（着脱口）を閉塞可能とするランプカバー（カバー部材）を天面開口部から取り外すことにより、その天面開口部を介して光源ユニットの交換が可能になる。
【発明の概要】
【発明が解決しようとする課題】
【０００４】
ところが、前記特許文献１に開示の画像投射装置においては、光源ユニットを交換する際の作業手順は、ランプカバーを天面開口部から取り外す作業を行った後、天面開口部を介して光源ユニットを交換する作業を行い、その後、天面開口部にランプカバーを取り付ける作業を行うという作業手順となる。このような作業手順では、ユーザーにとって煩雑であり、より簡易な作業手順が望まれる。
【課題を解決するための手段】
【０００５】
上述した課題を解決するために、本発明は、装置本体の着脱口を介して該装置本体に対して着脱可能に構成された光源ユニットを備え、該光源ユニット内の光源からの光を用いて画像を投射する画像投射装置において、前記着脱口のカバー部材が前記光源ユニットと一体構造になっていることを特徴とする。
【発明の効果】
【０００６】
本発明によれば、従来よりも光源ユニットを交換する際の作業手順が簡易になるという優れた効果が奏される。
【図面の簡単な説明】
【０００７】
【図１】実施形態に係るプロジェクタを示す斜視図である。
【図２】同プロジェクタを示す側面図である。
【図３】（ａ）は、外装カバーを外した同プロジェクタの内部構成と配置を示す斜視図である。（ｂ）は、図３（ａ）の太線枠で囲まれた部分の斜視図である。
【図４】同プロジェクタにおける光源部、画像生成部及び投射光学部の断面図である。
【図５】天井に取り付けた状態の同プロジェクタを示す斜視図である。
【図６】図５中破線で示した領域を抜粋し、同プロジェクタにおける光源ユニットを取り外した状態を示す斜視図である。
【図７】同光源ユニットの外観を示す斜視図である。
【図８】同光源ユニットのランプハウジングに対する光源ユニットカバーの取付機構を示す分解斜視図である。
【図９】同光源ユニットの側面図である。
【図１０】図９のＡ−Ａ断面を示す断面図である。
【図１１】（ａ）は、同光源ユニットがプロジェクタ本体に装着されていない非装着時を示す斜視図である。（ｂ）は、図１１（ａ）のＢ−Ｂ断面を示す断面図である。
【図１２】（ａ）は、同光源ユニットがプロジェクタ本体に装着されている装着時を示す斜視図である。（ｂ）は、図１２（ａ）のＣ−Ｃ断面を示す断面図である。
【図１３】プロジェクタ内部側から着脱方向に沿って同光源ユニットを見たときの正面図である。
【図１４】（ａ）は、同光源ユニットがプロジェクタ本体に装着されていない非装着時における図１３のＤ−Ｄ断面を示す断面図である。（ｂ）は、同光源ユニットがプロジェクタ本体に装着された装着時における図１３のＤ−Ｄ断面を示す断面図である。
【図１５】（ａ）は、取手部材が使用位置に位置するときの図９のＥ−Ｅ断面を示す断面図である。（ｂ）は、取手部材が使用位置と非使用位置との途中に位置するときの図９のＥ−Ｅ断面を示す断面図である。（ｃ）は、取手部材が非使用位置に位置するときの図９のＥ−Ｅ断面を示す断面図である。
【図１６】（ａ）は、取手部材が使用位置に位置するときの同プロジェクタのインターロックスイッチの構成を示す説明図である。（ｂ）は、取手部材が使用位置と非使用位置との途中に位置するときの同インターロックスイッチの構成を示す説明図である。（ｃ）は、取手部材が非使用位置に位置するときの同インターロックスイッチの構成を示す説明図である。
【図１７】（ａ）〜（ｃ）は、図１６（ａ）〜（ｃ）のＧ−Ｇ断面をそれぞれ示す断面図である。
【図１８】同光源ユニットへの通電制御に関連する制御ブロック図である。
【図１９】図１６（ｃ）のＨ−Ｈ断面を示す断面図である。
【発明を実施するための形態】
【０００８】
以下、本発明が適用される画像投射装置としてのプロジェクタ１の一実施形態について説明する。
図１は本実施形態に係るプロジェクタ１を示す斜視図であり、図２は本プロジェクタ１の側面図である。
図１及び図２に示すように、プロジェクタ１の上面には、ユーザーがプロジェクタ１を操作するための操作ボタン等の操作部１１が設けられている。また、投射面であるスクリーン２００に映し出されている投射画像を拡大したり縮小したりするズームレバー１２が設けられている。プロジェクタ１の正面には、装置電源のオン／オフを行う電源スイッチ１３、パソコンやビデオカメラ等の外部機器と接続するための外部入力端子１４、投射画像の光を出射する投射レンズ１５、装置環境の照度を検出する照度センサ１６などが設けられている。プロジェクタ１における外装カバーの側面には、冷却用の空気を取り入れる吸気口１７が設けられている。
【０００９】
図３（ａ）は、外装カバーを外したプロジェクタ１の内部構成と配置を示す斜視図である。
図３（ｂ）は、図３（ａ）の太線枠で囲まれた部分の斜視図である。
図４は、光源部、画像生成部及び投射光学部の断面図である。
図３及び図４に示すように、プロジェクタ１は、ハロゲンランプ、メタルハライドランプ、高圧水銀ランプなどの光源である放電ランプ５１を備える光源部２０と、放電ランプ５１からの光を用いて画像を生成する画像生成部３０と、投射画像を出射する投射光学部４０とを備えている。
【００１０】
光源部２０は、プロジェクタ本体に対して着脱可能に構成された後述する光源ユニットと、カラーホイール２２、ライトトンネル２３、２枚のリレーレンズ２４を有する画像照明光学系とから構成されている。放電ランプ５１は光源ユニットに搭載されている。放電ランプ５１からの光は、図４の矢印で示すように、回転するカラーホイール２２を通ることによって時分割でＲ、Ｇ、Ｂの光成分に分離される。このカラーホイール２２は、円盤形状のものであり、ホイールモータ２５のモータ軸に固定され、回転方向にＲ（レッド）、Ｇ（グリーン）、Ｂ（ブルー）などのカラーフィルタが設けられている。カラーホイール２２により分離された各光成分は、ライトトンネル２３へ入射する。ライトトンネル２３は、四角筒形状であり、その内周面が鏡面となっている。ライトトンネル２３に入射した各光成分は、ライトトンネル２３の内周の鏡面で複数回反射しながら、均一な面光源にされて２枚のリレーレンズ２４へ向けて出射する。図４の矢印で示すように、２枚のリレーレンズ２４を透過し、次段の画像生成部３０の平面ミラー３１、凹面ミラー３２により反射され、画像表示素子としてのＤＭＤ（Ｄｉｇｉｔａｌ  Ｍｉｃｒｏ−ｍｉｒｒｏｒ  Ｄｅｖｉｃｅ）３３の画像生成面上に集光して結像される。
【００１１】
ＤＭＤ３３の画像生成面には、可動式の複数のマイクロミラーが格子状に配列されている。各マイクロミラーは、鏡面をねじれ軸周りに所定角度傾斜させることができ、「ＯＮ」と「ＯＦＦ」の２つの状態を持たせることができる。マイクロミラーが「ＯＮ」のときは、カラーホイール２２を透過した各光成分を投射光学部４０の投射レンズに向けて反射する。「ＯＦＦ」のときは、照明ブラケットなどの側面に保持されたＯＦＦ光板に向けて光を反射する。したがって、各マイクロミラーを個別に駆動することにより、画素ごとに光の投射を制御することができ、投射画像を生成することができる。
【００１２】
次に、本実施形態における光源ユニットの交換に関わる構成について説明する。
従来のプロジェクタにおける光源ユニットを交換する作業手順は、通常、光源ユニットを着脱する出し入れする着脱口を塞ぐ光源カバーを取り外す作業を行った後、その着脱口を介して光源ユニットを交換する作業を行い、その後、その着脱口に光源カバーを取り付ける作業を行うという作業手順である。このような作業手順では、取り外した光源カバーを作業の邪魔にならない位置に置いたり取りに行ったりする必要があるなど、ユーザーにとって煩雑であり、より簡易な作業手順が望まれる。特に、図５に示すように、天井に取り付けた状態のプロジェクタに対して光源ユニットを交換する場合には、光源カバーを置いておく場所が手近に存在しない場合が多く、ユーザーの利便性を大きく損なうことになる。
【００１３】
図６は、図５中破線で示した領域を抜粋し、本実施形態の光源ユニット５０を取り外した状態を示す斜視図である。なお、図６は、図５に示す状態とは上下逆さまである。
図７は、本実施形態の光源ユニット５０の外観を示す斜視図である。
本実施形態のプロジェクタ１においては、図６中矢印Ｓに示すように、光源ユニット５０がプロジェクタ本体の側面から着脱可能に構成されている。本実施形態では、プロジェクタ本体の外装カバー１８に形成された着脱口としての光源ユニット取出口１８ａから光源ユニット５０を完全に取り出すまでは、光源ユニット５０がプロジェクタ本体に下支えされる構成になっている。そのため、例えば、図５に示したように本プロジェクタ１を天井に設置するような場合でも、光源ユニット５０の交換時に光源ユニット５０が落下する事態が起こりにくい。
【００１４】
また、本実施形態においては、光源ユニット取出口１８ａを塞ぐカバー部材としての光源ユニットカバー５２が光源ユニット５０と一体構造になっている。そのため、光源ユニットカバー５２を光源ユニット取出口１８ａから取り外す作業で、光源ユニット５０も一緒にプロジェクタ本体から取り出すことが可能である。同様に、光源ユニットカバー５２を光源ユニット取出口１８ａに取り付ける作業で、光源ユニット５０も一緒にプロジェクタ本体へ取り付けることが可能である。したがって、光源ユニットカバー５２と光源ユニット５０とが個別に構成されていた従来の構成よりも、光源ユニット５０を交換する際の作業手順が簡易になる。
【００１５】
以下、本実施形態における光源ユニットの交換に関わる構成について更に詳しく説明する。
光源ユニット５０は、放電ランプ５１を保持するランプハウジング５４を備え、このランプハウジング５４に対して光源ユニットカバー５２が取り付けられている。光源ユニットカバー５２は、光源ユニット５０をプロジェクタ本体に装着した状態において、光源ユニット取出口１８ａを塞ぎ、プロジェクタ本体の外装カバー１８とほぼ同一面となって外装カバーの一部を成す。
【００１６】
また、本実施形態の光源ユニットカバー５２には、その光源ユニットカバー５２上の回動支点をもち、非使用位置と使用位置との間で回動可能な取手部材５３が設けられている。光源ユニットカバー５２には、取手部材５３を収納する収納溝５２ａが形成されており、この収納溝５２ａに取手部材５３が収納される非使用位置まで取手部材５３を回動させると、図５に示したように、外装カバー１８と取手部材５３とがほぼ同一面を成す。なお、図６に示すように、光源ユニットカバー５２の収納溝５２ａから取手部材５３を取り出した位置が使用位置である。
【００１７】
光源ユニット５０を交換する際、作業者は、光源ユニット５０の取手部材５３を光源ユニットカバー５２の収納溝５２ａから取り出して図６に示すような使用位置まで回動させる。そして、作業者は、その取手部材５３を把持して図６中矢印Ｓに示す方向に沿ってプロジェクタ本体から引くことで、光源ユニットカバー５２と一体構造である光源ユニット５０を装置外部へ引き出すことができる。光源ユニット５０を装着する際には、作業者は逆の手順を行えばよい。
【００１８】
また、光源ユニット５０には、放電ランプ５１への電力供給用のユニット側コネクタ５５が設けられている。また、光源ユニット５０のランプハウジング５４の側面には、プロジェクタ本体側に設けられたスライドレールに沿って光源ユニット５０をスライド移動させるためのガイド部材５４ａが設けられている。プロジェクタ本体側のスライドレールに沿って光源ユニット５０を挿入すると、プロジェクタ本体に設けられている本体側コネクタ７２にユニット側コネクタ５５が嵌合する。これにより、本体側コネクタ７２とユニット側コネクタ５５との接点が接続され、本体側コネクタ７２から供給される電力がユニット側コネクタ５５を介して放電ランプ５１へ供給可能となる。
【００１９】
次に、本実施形態におけるランプハウジング５４に対する光源ユニットカバー５２の取付機構について説明する。
図８は、光源ユニット５０のランプハウジング５４に対する光源ユニットカバー５２の取付機構を示す分解斜視図である。
本実施形態では、光源ユニットカバー５２を光源ユニット５０と一体構造にするため、光源ユニット５０のランプハウジング５４に対して光源ユニットカバー５２を取り付けている。具体的には、ランプハウジング５４には２つの取付形状部５４ｂが形成されており、各取付形状部５４ｂにはそれぞれ２つの丸穴５４ｃ，５４ｄが形成されている。光源ユニットカバー５２には２つのガイドピン５２ｂが設けられており、これらのガイドピン５２ｂがランプハウジング５４の各取付形状部５４ｂに形成された一方の丸穴５４ｄにそれぞれ挿入された状態で、固定部材である段付ネジ５７をランプハウジング５４の各取付形状部５４ｂの他方の丸穴５４ｃに通し、その同軸上に設けられた光源ユニットカバー５２側のネジ穴５２ｃに締結固定する。
【００２０】
このとき、光源ユニットカバー５２とランプハウジング５４とを互いに引き離す方向への付勢力を付与する付勢手段としてのバネ５６が、ランプハウジング５４の各取付形状部５４ｂと光源ユニットカバー５２との間に挟まれ、そのバネの内部を段付ネジ５７が通るようにして締結固定される。ここで、段付ネジ５７の鍔面とネジ穴５２ｃの頂面との間には、後述する図１３（ａ）及び（ｂ）に示すように、ランプハウジング５４の取付形状部５４ｂの厚みよりも広い隙間をもって、段付ネジ５７がネジ穴５２ｃに締結固定される。これにより、光源ユニットカバー５２は、バネ５６の付勢力を上回る外力を受けることで、ランプハウジング５４に対し、着脱方向Ｓに沿った方向（図中Ｚ軸方向）へ所定の遊び分だけ変位可能に取り付けられる。
【００２１】
図９は、本実施形態における光源ユニット５０の側面図である。
図１０は、図９のＡ−Ａ断面を示す断面図であり、ランプハウジング５４の取付形状部５４ｂに形成された２つの丸穴５４ｃ，５４ｄと段付ネジ５７及びガイドピン５２ｂとの寸法関係を示す説明図である。
図１０に示すように、段付ネジ５７が挿入される丸穴５４ｃの内径は段付ネジ５７の外径よりも所定の遊び分だけ大きく設定されている。また、ガイドピン５２ｂが挿入される丸穴５４ｄの内径はガイドピン５２ｂの外径よりも所定の遊び分だけ大きく設定されている。これにより、光源ユニットカバー５２は、ランプハウジング５４に対し、着脱方向Ｓに対して直交する面方向（図中Ｘ軸方向およびＹ軸方向）へ所定の遊び分だけ変位可能に取り付けられる。
【００２２】
図１１（ａ）は、光源ユニット５０がプロジェクタ本体に装着されていない非装着時を示す斜視図であり、図１１（ｂ）は、図１１（ａ）のＢ−Ｂ断面を示す断面図である。
図１２（ａ）は、光源ユニット５０がプロジェクタ本体に装着されている装着時を示す斜視図であり、図１２（ｂ）は、図１２（ａ）のＣ−Ｃ断面を示す断面図である。
光源ユニット５０をプロジェクタ本体に装着する際、作業者は、図１１（ａ）及び（ｂ）に示すように、光源ユニット５０の光源ユニットカバー５２の収納溝５２ａから立てた状態の取手部材５３を把持し、プロジェクタ１の側面から図中矢印で示す着脱方向Ｓに沿って光源ユニット取出口１８ａからプロジェクタ１の本体内部へ光源ユニット５０を挿入する。このとき、光源ユニット５０のガイド部材５４ａがプロジェクタ本体側のスライドレールに沿って摺動することで、そのスライドレールに沿って光源ユニット５０が適切に挿入される。
【００２３】
プロジェクタ本体側のスライドレールに沿って光源ユニット５０を挿入していくと、光源ユニット５０のランプハウジング５４の挿入方向先端側に設けられた位置決めピン５４ｅ，５４ｆが、プロジェクタ１の本体内部の位置決め基準部材である本体フレーム１９に形成された位置決め基準穴１９ａ，１９ｂにそれぞれ入り込むことになる。そして、図１２（ａ）及び（ｂ）に示すように、各位置決めピン５４ｅ，５４ｆの根元の座面５４ｇが本体フレーム１９の受け面１９ｃに突き当たることで、位置決め基準穴１９ａ，１９ｂに位置決めピン５４ｅ，５４ｆが嵌り込み、本体フレーム１９に対して光源ユニット５０のランプハウジング５４の位置決めがなされる。
【００２４】
図１３は、プロジェクタ内部側から着脱方向Ｓに沿って光源ユニット５０を見たときの正面図である。
図１４（ａ）及び（ｂ）は、図１３中Ｄ−Ｄ断面を示す断面図である。なお、図１４（ａ）は、光源ユニット５０がプロジェクタ本体に装着されていない非装着時を示すものであり、図１４（ｂ）は、光源ユニット５０がプロジェクタ本体に装着された装着時を示すものである。
【００２５】
光源ユニット５０の非装着時においては、図１４（ａ）に示すように、バネ５６の付勢力により光源ユニットカバー５２に対してランプハウジング５４が離れる向きに付勢され、ランプハウジング５４の取付形状部５４ｂが段付ネジ５７の鍔面に突き当たった状態に維持される。この状態で光源ユニット５０がプロジェクタの本体内部へ挿入されていくと、光源ユニット５０の各位置決めピン５４ｅ，５４ｆの座面５４ｇがプロジェクタ１の本体フレーム１９の受け面１９ｃに突き当たる。
【００２６】
このとき、光源ユニット５０のランプハウジング５４については、当該ランプハウジング５４の位置決めピン５４ｅ，５４ｆが本体フレーム１９の位置決め基準穴１９ａ，１９ｂに嵌り込んで、本体フレーム１９に対しての位置決めがなされる。しかしながら、光源ユニット５０の光源ユニットカバー５２については、未だ光源ユニット取出口１８ａを完全に塞ぐ位置にはなっておらず、プロジェクタ本体の外装カバー１８から僅かに突出した状態である。
【００２７】
そこで、作業者は、取手部材５３を把持したままで、更に光源ユニット５０をプロジェクタの本体内部へ押し込む。すると、光源ユニットカバー５２は、バネ５６の付勢力に抗して、本体フレーム１９に位置決めされたランプハウジング５４に近づく向きに変位し、プロジェクタ本体の外装カバー１８とほぼ同一面をなるまで押し込まれる。これにより、光源ユニットカバー５２は、光源ユニット取出口１８ａを完全に塞ぐことができる。そして、光源ユニットカバー５２が外装カバー１８に対してロックされると、バネ５６の付勢力（図１４（ｂ）中のＦ０）により、光源ユニットカバー５２に対してランプハウジング５４が着脱方向Ｓ（図中Ｚ軸方向）に沿ってプロジェクタ本体内部側へ付勢された状態による。これにより、ランプハウジング５４の各位置決めピン５４ｅ，５４ｆの座面５４ｇとプロジェクタ１の本体フレーム１９の受け面１９ｃとの突き当て状態が安定して維持される。よって、光源ユニットカバー５２とランプハウジング５４とが着脱方向Ｓに沿って変位可能に構成されていても、着脱方向Ｓにおけるランプハウジング５４の位置決めが適切に維持される。
【００２８】
光源ユニット５０の放電ランプ５１は、プロジェクタ本体側に配置された光照射目標である光路上の各種光学部材（カラーホイール２２、ライトトンネル２３、リレーレンズ２４等）へ正確に光を照射する必要がある。そのため、放電ランプ５１を保持するランプハウジング５４は、これらの光学部材に対して高い位置決め精度をもつ本体フレーム１９に対して位置決めする必要がある。一方、光源ユニット５０の光源ユニットカバー５２は、外装カバー１８に形成された光源ユニット取出口１８ａを適切に塞ぐ必要があることから、外装カバー１８の光源ユニット取出口１８ａに対して位置決めする必要がある。
【００２９】
ところが、光源ユニット５０のランプハウジング５４（放電ランプ５１）が位置決めされる本体フレーム１９と、光源ユニット５０の光源ユニットカバー５２が位置決めされる外装カバー１８の光源ユニット取出口１８ａとの間の位置関係は、通常、あまり精度が高くはない。従来のプロジェクタのように、外装カバー１８の光源ユニット取出口１８ａを塞ぐ光源ユニットカバー５２が光源ユニット５０と個別に構成されていれば、光源ユニット５０上のランプハウジング５４と光源ユニットカバー５２とは互いに影響なく個別に位置決めできる。そのため、本体フレーム１９と外装カバー１８の光源ユニット取出口１８ａとの位置精度が高くない場合でも、ランプハウジング５４及び光源ユニットカバー５２の位置決めに問題は生じない。
【００３０】
しかしながら、本実施形態のように、光源ユニットカバー５２を光源ユニット５０と一体構造とし、光源ユニットカバー５２がランプハウジング５４に取り付けられた構成である場合、仮に光源ユニットカバー５２とランプハウジング５４との位置関係が固定されていると、一方の位置決めを行うと他方の位置決めをできなくなり、ランプハウジング５４及び光源ユニットカバー５２の両方について適切に位置決めを行うことができなくなる。そのため、ランプハウジング５４が位置決めされる本体フレーム１９と、光源ユニットカバー５２が位置決めされる外装カバー１８の光源ユニット取出口１８ａとの位置精度を高める必要が生じ、コストアップにつながる。
【００３１】
本実施形態の光源ユニット５０は、上述したように、ランプハウジング５４に対し、光源ユニットカバー５２が、図中Ｘ軸方向、Ｙ軸方向、Ｚ軸方向のいずれの方向についても所定の遊び分だけ変位可能に取り付けられる。したがって、本体フレーム１９と外装カバー１８の光源ユニット取出口１８ａとの位置精度が悪くても、ランプハウジング５４及び光源ユニットカバー５２の両方をそれぞれ適切に位置決めすることができる。
【００３２】
なお、本体フレーム１９と外装カバー１８の光源ユニット取出口１８ａとの位置精度によっては、ランプハウジング５４と光源ユニットカバー５２とが、図中Ｘ軸方向、Ｙ軸方向、Ｚ軸方向の全方向について変位可能である必要はなく、特定の方向だけ変位可能であってもよい。
【００３３】
次に、光源ユニット５０をプロジェクタ本体にロックするロック手段としてのロック機構について説明する。
図１５（ａ）〜（ｃ）は、図９のＥ−Ｅ断面を示す断面図であり、光源ユニット５０をプロジェクタ本体にロックするロック機構６０を示す説明図である。
なお、図１５（ａ）は、取手部材５３が使用位置まで回動した状態であり、光源ユニット５０が非装着の状態である。図１５（ｂ）は、取手部材５３が使用位置と非使用位置との間に位置する状態である。図１５（ｃ）は、取手部材５３が非使用位置まで回動した状態であり、光源ユニット５０が装着状態である。
【００３４】
光源ユニットカバー５２は、取手部材５３の回動支点５３ａを回動可能に支持している。取手部材５３は、回動支点５３ａに対して規定距離だけ離れた位置の点対称位置にそれぞれボスピン６１を備えており、ボスピン６１がロック部材６２に設けられた長穴６３に挿入された状態で、光源ユニットカバー５２に取り付けられている。ロック部材６２は、図１５中上下方向に沿って並進移動可能なように、ロック部材ガイド６４に保持されている。
【００３５】
取手部材５３が回動支点５３ａを中心に回動すると、ボスピン６１が回動支点５３ａを中心に回動支点５３ａの周囲を回転移動する。このボスピン６１の回転移動により、ボスピン６１が挿入されたロック部材６２の長穴６３が押されて、ロック部材６２がロック部材ガイド６４に沿って並進移動する。これにより、取手部材５３を、図１５（ａ）に示す使用位置から図１５（ｂ）の途中状態を経て図１５（ｃ）に示す非使用位置まで回動させると、ロック部材６２がプロジェクタ１の外装カバー１８の内側に設けられたロック穴１８ｂに入り込む。
【００３６】
このとき、光源ユニットカバー５２は、すでに本体フレーム１９に位置決めされたランプハウジング５４に対し、着脱方向Ｓに沿ってプロジェクタ外側へバネ５６の付勢力を受けている。そのため、光源ユニットカバー５２上のロック部材６２は、この付勢力により、外装カバー１８の内壁面に押し当てられ、光源ユニットカバー５２とプロジェクタ１の外装カバー１８とが同一面をなすように、光源ユニットカバー５２の着脱方向Ｓ（図中Ｚ軸方向）の適切な位置決めがなされる。また、ロック部材６２がバネ５６の付勢力によって外装カバー１８の内壁面に押し当てられていることで、両者間の摩擦力によりロック部材６２の容易な並進移動を妨げることができ、ロック状態を安定して維持することができる。
【００３７】
図１６（ａ）〜（ｃ）は、プロジェクタ１のインターロックスイッチの構成を示す説明図である。
図１７（ａ）〜（ｃ）は、図１６（ａ）〜（ｃ）のＧ−Ｇ断面を示す断面図である。
図１８は、光源ユニット５０への通電制御に関連する制御ブロック図である。
取手部材５３を、図１６（ａ）に示す使用位置から図１６（ｂ）の途中状態を経て図１６（ｃ）に示す非使用位置まで回動させると、取手部材５３は、光源ユニットカバー５２の収納溝５２ａに収納される。これにより、上述したように、光源ユニット５０はロック部材６２によってプロジェクタ本体に対してロックされた状態になる。このとき、取手部材５３が収納溝５２ａに収納されると、図１７（ｃ）に示すように、取手部材５３に設けられた突起部５３ｂにより、光源ユニットカバー５２に設けられたロック状態検知手段としての検知スイッチ７３が押される。
【００３８】
検知スイッチ７３は、図１８に示すように、本体側コネクタ７２から光源ユニット５０の放電ランプ５１へ電力供給する電源７１を制御する通電制御手段としての電源制御部７０に接続されている。電源制御部７０は、検知スイッチ７３が突起部５３ｂによる押下を検知しているときには、電源７１から本体側コネクタ７２への通電を許可し、検知スイッチ７３が突起部５３ｂによる押下を検知していないときには、電源７１から本体側コネクタ７２への通電を遮断する制御を行う。
【００３９】
このような構成により、取手部材５３を光源ユニットカバー５２の収納溝５２ａから取り出してプロジェクタ本体に対する光源ユニット５０のロック状態が解除された時点で、本体側コネクタ７２から光源ユニット５０への通電が遮断される。したがって、光源ユニット５０をプロジェクタ本体から取り出す前の段階で、本体側コネクタ７２から光源ユニット５０への通電が遮断されるので、より高い安全性を確保することができる。
【００４０】
また、本実施形態では、図１９に示すように、取手部材５３が光源ユニットカバー５２の収納溝５２ａに収納される際、取手部材５３に設けられた爪部５３ｃが、外装カバー１８に設けられた爪受穴１８ｃに引っ掛かる。これにより、取手部材５３が検知スイッチ７３の反力により押し出されるのを防止している。
【００４１】
以上に説明したものは一例であり、本発明は、以下の態様毎に特有の効果を奏する。
（態様Ａ）
プロジェクタ１の本体等の装置本体の光源ユニット取出口１８ａ等の着脱口を介して該装置本体に対して着脱可能に構成された光源ユニット５０を備え、該光源ユニット内の放電ランプ５１等の光源からの光を用いて画像を投射するプロジェクタ１等の画像投射装置において、前記着脱口の光源ユニットカバー５２等のカバー部材が前記光源ユニット５０と一体構造になっていることを特徴とする。
本態様によれば、カバー部材を着脱口から取り外す作業で一緒に光源ユニットも装置本体から取り出すことが可能となり、また、カバー部材を着脱口に取り付ける作業で一緒に光源ユニットも装置本体へ取り付けることが可能となる。よって、従来よりも、光源ユニットを交換する際の作業手順が簡易になる。
【００４２】
（態様Ｂ）
前記態様Ａにおいて、前記カバー部材は、装置本体の外装カバーの一部を構成することを特徴とする。
光源ユニット内の光源はその使用により高温になる。使用直後の光源ユニットを交換する場合、カバー部材と光源ユニットとが個別に構成されていた従来の構成では、カバー部材を取り外すことはできても、光源ユニットはその全体が高温になっていて画像投射装置から取り外すことができない。そのため、光源ユニットが十分に冷えるのを待たないと、光源ユニットを交換することができないものであった。
一方、本態様において、光源ユニットと一体構造であるカバー部材は、装置本体の外装カバーの一部を構成するものである。外装カバーは、通常、所定の規格等により、画像投射装置の使用中に人間が触れても安全な温度以下になるように設計されるものである。よって、外装カバーの一部をなすカバー部材も、画像投射装置の使用中に人間が触れても安全な温度以下になるように設計されるので、カバー部材については使用直後であっても作業者が触れて取り扱うことができる。したがって、本態様によれば、使用直後であっても、作業者は、カバー部材を取り扱うことで、そのカバー部材と一体構造となっている光源ユニットを画像投射装置から取り出し、交換することができる。
【００４３】
（態様Ｃ）
前記態様Ａ又はＢにおいて、装置本体に対して前記光源ユニットが装着された状態で、前記光源からの光を照射する装置本体の各種光学部材等の光照射目標に対して該光源を位置決めする本体フレーム１９の位置決め基準穴１９ａ，１９ｂ及び光源ユニット５０の位置決めピン５４ｅ，５４ｆ等の光源位置決め手段と、装置本体に対して前記光源ユニットが装着された状態で、前記着脱口に対して前記カバー部材を位置決めする装置本体のロック穴１８ｂ及び光源ユニットのロック部材６２等のカバー位置決め手段とを有することを特徴とする。
これによれば、光源ユニットの光源及びカバー部材の両方を装置本体に対してそれぞれ適切に位置決めすることができる。
【００４４】
（態様Ｄ）
前記態様Ｃにおいて、前記カバー部材は、前記光源に対して変位可能な状態で、前記光源ユニットと一体構造になっていることを特徴とする。
これによれば、光源ユニットの光源を位置決めする装置本体の位置決め基準と、光源ユニットのカバー部材を位置決めする装置本体の位置決め基準との間の位置精度が悪い場合でも、光源ユニットの光源及びカバー部材の両方を装置本体に対してそれぞれの適切な位置に位置決めすることができる。
【００４５】
（態様Ｅ）
前記態様Ｄにおいて、前記カバー部材は、前記光源に対して光源ユニット着脱方向Ｓに対して直交する方向（Ｘ軸方向、Ｙ軸方向）に変位可能な状態で、前記光源ユニットと一体構造になっていることを特徴とする。
これによれば、光源ユニットの光源及びカバー部材の位置決め基準間の位置精度が、光源ユニット着脱方向Ｓに対して直交する方向に悪い場合でも、光源ユニットの光源及びカバー部材の両方を装置本体に対してそれぞれの適切な位置に位置決めすることができる。
【００４６】
（態様Ｆ）
前記態様Ｄ又はＥにおいて、前記光源位置決め手段は、装置本体側の本体フレーム１９等の位置決め基準部材に対して前記光源が光源ユニット着脱方向Ｓに突き当たることにより該光源を位置決めするものであり、前記カバー部材は、前記光源に対して光源ユニット着脱方向に変位可能な状態で、前記光源ユニットと一体構造になっており、前記カバー部材と前記光源とを光源ユニット着脱方向に沿って互いが離れる向きに付勢するバネ５６等の付勢手段を有することを特徴とする。
これによれば、光源ユニットの光源及びカバー部材の位置決め基準間の位置精度が光源ユニット着脱方向Ｓに悪い場合でも、光源ユニットの光源及びカバー部材の両方を装置本体に対してそれぞれの適切な位置に位置決めすることができる。しかも、付勢手段の付勢力により、装置本体側の位置決め基準部材に対して光源を突き当てた状態を維持できるので、光源ユニット着脱方向Ｓにおける光源の位置決めを安定して維持することができる。
【００４７】
（態様Ｇ）
前記態様Ａ〜Ｆのいずれかの態様において、前記着脱口が装置本体の側面に開口し、前記光源ユニットが装置本体の側面から着脱可能に構成されていることを特徴とする。
これによれば、着脱口から光源ユニットを完全に取り出すまでは、光源ユニットを装置本体で下支えする構成を取りやすく、光源ユニットの着脱時に光源ユニットが落下する事態が起こりにくい。
【００４８】
（態様Ｈ）
前記態様Ａ〜Ｇのいずれかの態様において、前記カバー部材上に回動支点５３ａをもち、非使用位置と使用位置との間で回動可能な取手部材５３と、前記非使用位置への前記取手部材の回動に連動して前記光源ユニットを装置本体に対してロックするロック状態となり、前記使用位置への該取手部材の回動に連動して装置本体に対する前記光源ユニットのロックを解除するロック機構等のロック手段とを有することを特徴とする。
これによれば、作業者は、取手部材の回動動作を行うだけで、装置本体に対して光源ユニットをロック状態にしたり、ロック状態を解除したりすることができるので、取手部材の回動動作とロック状態の切り替え動作とを別々に行う場合と比べて、作業手順を容易にすることができる。
【００４９】
（態様Ｉ）
前記態様Ｈにおいて、前記ロック状態であるか否かを検知する検知スイッチ７３等のロック状態検知手段と、前記ロック状態検知手段がロック状態でないことを検知しているとき、前記光源への通電を遮断する電源制御部７０等の通電制御手段とを有することを特徴とする。
これによれば、取手部材を使用位置へ回動して光源ユニット５０のロック状態が解除された時点で、光源ユニット内の電源への通電が遮断されるので、光源ユニットを装置本体から取り出す前の段階で通電が遮断され、より高い安全性を確保することができる。
【００５０】
（態様Ｊ）
放電ランプ５１等の光源からの光を用いて画像を投射するプロジェクタ１等の画像投射装置の装置本体に対して該装置本体の光源ユニット取出口１８ａ等の着脱口を介して着脱可能に構成され、該光源を有する光源ユニット５０において、前記着脱口の光源ユニットカバー５２等のカバー部材が当該光源ユニットと一体構造になっていることを特徴とする。
本態様によれば、カバー部材を着脱口から取り外す作業で一緒に光源ユニットも装置本体から取り出すことが可能となり、また、カバー部材を着脱口に取り付ける作業で一緒に光源ユニットも装置本体へ取り付けることが可能となる。よって、従来よりも、光源ユニットを交換する際の作業手順が簡易になる。
【符号の説明】
【００５１】
１  プロジェクタ
１８ 外装カバー
１８ａ  光源ユニット取出口
１８ｂ  ロック穴
１８ｃ  爪受穴
１９  本体フレーム
１９ａ，１９ｂ  位置決め基準穴
１９ｃ  受け面
２０  光源部
３０  画像生成部
４０  投射光学部
５０  光源ユニット
５１  放電ランプ
５２  光源ユニットカバー
５２ａ  収納溝
５２ｂ  ガイドピン
５２ｃ  ネジ穴
５３  取手部材
５３ａ  回動支点
５３ｂ  突起部
５３ｃ  爪部
５４  ランプハウジング
５４ａ  ガイド部材
５４ｂ  取付形状部
５４ｃ，５４ｄ  丸穴
５４ｅ，５４ｆ  位置決めピン
５４ｇ  座面
５５  ユニット側コネクタ
５６  バネ
５７  段付ネジ
６０  ロック機構
６１  ボスピン
６２  ロック部材
６３  長穴
６４  ロック部材ガイド
７０  電源制御部
７１  電源
７２  本体側コネクタ
７３  検知スイッチ
２００  スクリーン
【先行技術文献】
【特許文献】
【００５２】
【特許文献１】特許第４５３１４３号公報
【図１】
2016177061.tif 000003
【図２】
2016177061.tif 000004
【図３】
2016177061.tif 000005
【図４】
2016177061.tif 000006
【図５】
2016177061.tif 000007
【図６】
2016177061.tif 000008
【図７】
2016177061.tif 000009
【図８】
2016177061.tif 000010
【図９】
2016177061.tif 000011
【図１０】
2016177061.tif 000012
【図１１】
2016177061.tif 000013
【図１２】
2016177061.tif 000014
【図１３】
2016177061.tif 000015
【図１４】
2016177061.tif 000016
【図１５】
2016177061.tif 000017
【図１６】
2016177061.tif 000018
【図１７】
2016177061.tif 000019
【図１８】
2016177061.tif 000020
【図１９】
2016177061.tif 000021